(57)【要約】　　　（修正有）【課題】　広角化、低コスト化、高分解能、大口径比化に優れた縮小レンズを実現し、画像入力装置の小型化、低コスト化、高解像度化、高速読取を図る。【解決手段】　物体側（左側）から像側（右側）に向かって第１〜第４の各レンズ群を順に配置し、縮小レンズ９０１を構成する。第１のレンズ群を、物体側に凸面を向けた正のメニスカスレンズと物体側に凸面を向けた負のメニスカスレンズの接合レンズにより構成する。第２のレンズ群を、物体側に凸面を向けた負のメニスカスレンズにより構成する。第３のレンズ群を、物体側に凹面を向けた負のメニスカスレンズと物体側に凹面を向けた正のメニスカスレンズの接合レンズにより構成する。第４のレンズ群を、物体側に凹面を向けた負のメニスカスレンズと物体側に凹面を向けた正のメニスカスレンズの接合レンズにより構成する。【選択図】　図９
2004046229.tif 000002
【特許請求の範囲】
【請求項１】
物体側から像側に向かって順に配置された、前記物体側に凸面を向けた正のメニスカスレンズと前記物体側に凸面を向けた負のメニスカスレンズの接合レンズからなる第１のレンズ群と、前記物体側に凸面を向けた負のメニスカスレンズからなる第２のレンズ群と、前記物体側に凹面を向けた負のメニスカスレンズと前記物体側に凹面を向けた正のメニスカスレンズの接合レンズからなる第３のレンズ群と、前記物体側に凹面を向けた負のメニスカスレンズと前記物体側に凹面を向けた正のメニスカスレンズの接合レンズからなる第４のレンズ群とを備え、前記第３のレンズ群の前記負のメニスカスレンズの前記物体側の曲率半径をｒ7 、前記像側の曲率半径をｒ8 としたとき、下記（数１）の条件が満たされることを特徴とする縮小レンズ。
［数１］
　　　　　　　　　０．３８＜ｒ7 ／ｒ8 ＜０．４５
【請求項２】
物体側から像側に向かって順に配置された、前記物体側に凸面を向けた正のメニスカスレンズと前記物体側に凸面を向けた負のメニスカスレンズの接合レンズからなる第１のレンズ群と、前記物体側に凸面を向けた負のメニスカスレンズからなる第２のレンズ群と、前記物体側に凹面を向けた負のメニスカスレンズと前記物体側に凹面を向けた正のメニスカスレンズの接合レンズからなる第３のレンズ群と、前記物体側に凹面を向けた負のメニスカスレンズと前記物体側に凹面を向けた正のメニスカスレンズの接合レンズからなる第４のレンズ群とを備え、前記第２のレンズ群の負のメニスカスレンズの前記像側が回転対称非球面であり、かつ、前記第３のレンズ群の負のメニスカスレンズの物体側の曲率半径をｒ7 、像側の曲率半径をｒ8 としたとき、下記（数２）の条件が満たされることを特徴とする縮小レンズ。
［数２］
　　　　　　　　　０．４＜ｒ7 ／ｒ8 ＜０．５
【請求項３】
画像をセンサに縮小結像させる縮小レンズを備えた画像入力装置であって、前記縮小レンズとして請求項１又は２に記載の縮小レンズを用いた画像入力装置。
【発明の詳細な説明】
【技術分野】
【０００１】
　本発明は、原稿等の画像をＣＣＤ撮像素子等のセンサに結像させる縮小レンズ及びそれを用いた画像入力装置に関する。
【背景技術】
【０００２】
　原稿等の画像を読み取る画像入力装置においては、画像をＣＣＤ撮像素子等のセンサに縮小結像させるために、通常、縮小レンズが用いられている。そして、画像入力装置の高解像度、高速読取、小型化、低コスト化を図るためには、縮小レンズに、高分解能化、大口径比化、共役長を短縮するための広角化、及び高い量産性による低コスト化が求められる。
【０００３】
　これらの要求を満たすために、縮小レンズとしてガウス型レンズや変形ガウス型レンズ等が用いられてきた。例えば、特許文献１には、半画角が２２．０°、Ｆナンバーが４．０である６枚構成の縮小レンズが開示されている。また、特許文献２には、半画角が２２．０°、Ｆナンバーが３．５であり、かつ、口径比を大きくするために回転非球面が導入された６枚構成の縮小レンズが開示されている。さらに、特許文献３には、半画角が２２．０°、Ｆナンバーが４．０である７枚構成の縮小レンズが開示されている。
【特許文献１】特開昭６３−７５７２１号公報
【特許文献２】特開平１−１２４８１１号公報
【特許文献３】特開昭６３−８８５０８号公報
【発明の開示】
【発明が解決しようとする課題】
【０００４】
　このように、従来、半画角が２２．０°を超え、かつ、口径比の大きな縮小レンズは存在しなかった。さらに、特許文献１あるいは特許文献２に記載された６枚構成の縮小レンズでは、第３のレンズ群の両面の球心位置が非常に近接しているため、研磨加工後の芯取り加工時におけるベルクランプの狭持による芯出しを高精度に行うことができない。その結果、人手と多くの時間を費やして芯出しと芯取り加工を行わなければならず、量産性に問題があった。
【０００５】
　本発明は、従来技術における前記課題を解決するためになされたものであり、広角化、高い量産性による低コスト化、高分解能化、大口径化に優れた縮小レンズを実現し、画像入力装置の小型化、低コスト化、高解像度化、高速読取を図ることを目的とする。
【課題を解決するための手段】
【０００６】
　前記目的を達成するため、本発明に係る縮小レンズの第１の構成は、物体側から像側に向かって順に配置された、前記物体側に凸面を向けた正のメニスカスレンズと前記物体側に凸面を向けた負のメニスカスレンズの接合レンズからなる第１のレンズ群と、前記物体側に凸面を向けた負のメニスカスレンズからなる第２のレンズ群と、前記物体側に凹面を向けた負のメニスカスレンズと前記物体側に凹面を向けた正のメニスカスレンズの接合レンズからなる第３のレンズ群と、前記物体側に凹面を向けた負のメニスカスレンズと前記物体側に凹面を向けた正のメニスカスレンズの接合レンズからなる第４のレンズ群とを備え、前記第３のレンズ群の前記負のメニスカスレンズの前記物体側の曲率半径をｒ7 、前記像側の曲率半径をｒ8 としたとき、下記（数３）の条件が満たされることを特徴とする。
［数３］
　　　　　　　　　０．３８＜ｒ7 ／ｒ8 ＜０．４５
　この縮小レンズの第１の構成によれば、広角化と大口径比化を維持したまま、第３のレンズ群を構成する１要素である負のメニスカスレンズの形状を上記（数３）の条件で規定することにより、全系の収差性能を向上させることができる。
【０００７】
　また、本発明に係る縮小レンズの第２の構成は、物体側から像側に向かって順に配置された、前記物体側に凸面を向けた正のメニスカスレンズと前記物体側に凸面を向けた負のメニスカスレンズの接合レンズからなる第１のレンズ群と、前記物体側に凸面を向けた負のメニスカスレンズからなる第２のレンズ群と、前記物体側に凹面を向けた負のメニスカスレンズと前記物体側に凹面を向けた正のメニスカスレンズの接合レンズからなる第３のレンズ群と、前記物体側に凹面を向けた負のメニスカスレンズと前記物体側に凹面を向けた正のメニスカスレンズの接合レンズからなる第４のレンズ群とを備え、前記第２のレンズ群の負のメニスカスレンズの前記像側が回転対称非球面であり、かつ、前記第３のレンズ群の負のメニスカスレンズの物体側の曲率半径をｒ7 、像側の曲率半径をｒ8 としたとき、下記（数４）の条件が満たされることを特徴とする。
［数４］
　　　　　　　　　０．４＜ｒ7 ／ｒ8 ＜０．５
　この縮小レンズの第２の構成によれば、広角化と大口径比化を維持したまま、第３のレンズ群を構成する１要素である負のメニスカスレンズの形状を上記（数４）の条件で規定することにより、全系の収差性能を向上させることができる。
【０００８】
　また、本発明に係る画像入力装置の構成は、画像をセンサに縮小結像させる縮小レンズを備えた画像入力装置であって、前記縮小レンズとして前記本発明に係る縮小レンズを用いることを特徴とする。この画像入力装置の構成によれば、以下のような作用効果が得られる。すなわち、本発明の縮小レンズは画角が大きいため、原稿などの画像からＣＣＤ撮像素子等のセンサまでの光路長を小さくすることができ、その結果、画像入力装置の小型化を図ることができる。さらに、本発明の縮小レンズは高い結像性能を有し、しかも大口径比化されているため、高解像度でかつ高速読取が可能な画像入力装置を実現することができる。
【発明の効果】
【０００９】
　本発明によれば、広角化、高い量産性による低コスト化、高分解能化、大口径比化に優れた縮小レンズを提供することができ、画像入力装置の小型化、低コスト化、高解像度化、高速読取を図ることができる。
【発明を実施するための最良の形態】
【００１０】
　以下、実施の形態を用いて本発明をさらに具体的に説明する。
【００１１】
　〈第１の実施の形態〉
　図１は本発明の第１の実施の形態における縮小レンズの構成を示す配置図である。
【００１２】
　図１に示すように、物体側（図１では、左側）から像側（図１では、右側）に向かって第１〜第４の各レンズ群が順に配置されており、これにより縮小レンズ１が構成されている。ここで、第１のレンズ群は、物体側に凸面を向けた正のメニスカスレンズと物体側に凸面を向けた負のメニスカスレンズの接合レンズからなる。第２のレンズ群は、物体側に凸面を向けた負のメニスカスレンズからなる。第３のレンズ群は、物体側に凹面を向けた負のメニスカスレンズからなる。第４のレンズ群は、物体側に凹面を向けた負のメニスカスレンズと物体側に凹面を向けた正のメニスカスレンズの接合レンズからなる。尚、第３のレンズ群の物体側の曲率半径をｒ7 、像側の曲率半径をｒ8 、レンズ中心厚である面間隔をｄ7 、全系の焦点距離をｆとしたとき、下記（数５）の条件が満たされている。
［数５］
　　　　　　　（（ｒ7 −ｒ8 ）−ｄ7 ）／ｆ＞０．０２７
　上記（数５）の条件を満足させることにより、高い結像性能を維持したまま、第３のレンズ群の両面の球心位置の差を加工に適した値まで大きくすることができるので、芯取り加工が容易となる。その結果、量産性が向上するので、低コスト化を図ることができる。すなわち、上記（数５）の左辺は、第３のレンズ群の各面の球心位置の差を全系の焦点距離で規格化したものとなっており、この数値が大きいほど球心位置の差が大きくなり、芯取り加工に用いるベルクランプの狭持によって容易に高精度な芯取り加工を行うことが可能となる。一方、上記（数５）の条件が満たされない場合には、高精度な芯取り加工が困難となり、量産性が低下する。
【００１３】
　尚、図１中、１０は原稿載置用のプラテンガラス、１１はＣＣＤ撮像素子等のセンサのカバーガラスであり、プラテンガラス１０とカバーガラス１１はともに平行平面ガラスからなっている。
【００１４】
　次に、上記の構成を備えた縮小レンズ１の具体的実施例を挙げる。但し、各実施例中、Ｆ／ＮｏはＦナンバー、ｆは全系の焦点距離、ｍは倍率、ωは半画角、ｒは曲率半径、ｄは面間隔、ｎはｅ線の屈折率、νはｄ線のアッベ数をそれぞれ表わしている。
【００１５】
　（実施例１）
Ｆ／Ｎｏ  １：４、  ｆ＝５３．９３６、    ｍ＝−０．１６５、
ω＝２２．９°、  （（ｒ7 −ｒ8 ）−ｄ7 ）／ｆ＝０．０２７５
ｒ            ｄ          ｎ                ν
１          １９．７８９    ７．８３    １．７７６２１    ４９．６
２        １１８．７１３    ２．１９    １．７９１７５    ２６．２
３          ３３．３８２    １．８１
４          １４．２６９    １．５４    １．７９１８９    ２５．７
５          １１．２２６    ４．３５
６           ∞（絞り）     ６．７９
７          −９．３８３    １．９１    １．７９１８９    ２５．７
８        −１２．７７３    ０．３８
９        −５０．６７７    １．４０    １．７９１７５    ２６．２
１０    −１５８．０５３    ６．２１    １．７７６２１    ４９．６
１１      −１９．２９４
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００１６】
　（実施例２）
Ｆ／Ｎｏ  １：４、  ｆ＝５３．７３３、    ｍ＝−０．１６５、
ω＝２２．９°、  （（ｒ7 −ｒ8 ）−ｄ7 ）／ｆ＝０．０２７８
ｒ            ｄ          ｎ                ν
１          １９．５３０    ６．３１    １．７７６２１    ４９．６
２          ９６．６９７    １．７７    １．７９１７５    ２６．２
３          ３４．１２６    ２．３７
４          １４．４０１    １．９８    １．７９１８９    ２５．７
５          １０．９２７    ４．７３
６            ∞（絞り）    ６．６７
７          −９．０４６    １．４０    １．７９１８９    ２５．７
８        −１１．９３６    ０．１８
９        −３９．６２８    １．４０    １．７９１７５    ２６．２
１０      −８７．０９２    ５．８２    １．７７６２１    ４９．６
１１      −１７．４５８
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００１７】
　（実施例３）
Ｆ／Ｎｏ  １：４、  ｆ＝５３．８３０、    ｍ＝−０．１６５、
ω＝２２．９°、  （（ｒ7 −ｒ8 ）−ｄ7 ）／ｆ＝０．０２９３
ｒ            ｄ          ｎ                ν
１          １９．７９７    ７．９３    １．７７６２１    ４９．６
２        １０４．５６９    ２．４５    １．７９１７５    ２６．２
３          ３２．４０３    ２．２４
４          １３．８７６    １．４０    １．７９１８９    ２５．７
５          １０．８８３    ３．９６
６            ∞（絞り）    ６．６０
７          −８．９０１    １．３９    １．７９１８９    ２５．７
８        −１１．８７３    ０．３１
９        −４１．３１６    １．４３    １．７９１７５    ２６．２
１０      −８５．９００    ６．０４    １．７７６２１    ４９．６
１１      −１７．４０５
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００１８】
　図２、図３、図４に、それぞれ上記実施例１、実施例２、実施例３の球面収差、非点収差、歪曲収差、横収差の特性を示す。尚、非点収差を示す図において、Ｔはメリディオナル光線、Ｓはサジタル光線を示している。
【００１９】
　〈第２の実施の形態〉
　図５は本発明の第２の実施の形態における縮小レンズの構成を示す配置図である。
【００２０】
　図５に示すように、物体側（図５では、左側）から像側（図５では、右側）に向かって第１〜第４の各レンズ群が順に配置されており、これにより縮小レンズ５０１が構成されている。ここで、第１のレンズ群は、物体側に凸面を向けた正のメニスカスレンズと物体側に凸面を向けた負のメニスカスレンズの接合レンズからなる。第２のレンズ群は、物体側に凸面を向けた負のメニスカスレンズからなる。第３のレンズ群は、物体側に凹面を向けた負のメニスカスレンズからなる。第４のレンズ群は、物体側に凹面を向けた負のメニスカスレンズと物体側に凹面を向けた正のメニスカスレンズの接合レンズからなる。また、第２のレンズ群の像側の面は、回転対称非球面となっている。このように第２のレンズ群の像側の面を回転対称非球面としたことにより、コマ収差の補正を良好に行うことができる。尚、第２のレンズ群の像側の面の回転対称非球面は、下記（数６）によって表記される。
【００２１】
【数６】
2004046229.tif 000003
　上記（数６）において、Ｚは非球面の頂点から光軸方向の距離、ｒは近軸曲率半径、ｋは円錐定数、Ａ、Ｂ、Ｃ、Ｄは４次、６次、８次、１０次の非球面係数、Ｈは光軸に垂直な方向の距離をそれぞれ表わしている。
【００２２】
　さらに、本実施の形態においては、第３のレンズ群の物体側の曲率半径をｒ7 、像側の曲率半径をｒ8 、レンズ中心厚である面間隔をｄ7 、全系の焦点距離をｆとしたとき、下記（数７）の条件が満たされている。
［数７］
　　　　　　　（（ｒ7 −ｒ8 ）−ｄ7 ）／ｆ＞０．０２７
　上記（数７）の条件を満足させることにより、高い結像性能を維持したまま、第３のレンズ群の両面の球心位置の差を加工に適した値まで大きくすることができるので、芯取り加工が容易となる。その結果、量産性が向上するので、低コスト化を図ることができる。すなわち、上記（数７）の左辺は、第３のレンズ群の各面の球心位置の差を全系の焦点距離で規格化したものとなっており、この数値が大きいほど球心位置の差が大きくなり、芯取り加工に用いるベルクランプの狭持によって容易に高精度な芯取り加工を行うことが可能となる。一方、上記（数７）の条件が満たされない場合には、高精度な芯取り加工が困難となり、量産性が低下する。
【００２３】
　尚、図５中、１０は原稿載置用のプラテンガラス、１１はＣＣＤ撮像素子等のセンサのカバーガラスであり、プラテンガラス１０とカバーガラス１１はともに平行平面ガラスからなっている。
【００２４】
　次に、上記の構成を備えた縮小レンズ５０１の具体的実施例を挙げる。但し、各実施例中、Ｆ／ＮｏはＦナンバー、ｆは全系の焦点距離、ｍは倍率、ωは半画角、ｒは曲率半径、ｄは面間隔、ｎはｅ線の屈折率、νはｄ線のアッベ数、＊は非球面、ｋは円錐定数、Ａは４次の非球面係数、Ｂは６次の非球面係数、Ｃは８次の非球面係数、Ｄは１０次の非球面係数をそれぞれ表わしている。
【００２５】
　（実施例４）
Ｆ／Ｎｏ  １：４、  ｆ＝５３．８５７、    ｍ＝−０．１６５、
ω＝２２．９°、  （（ｒ7 −ｒ8 ）−ｄ7 ）／ｆ＝０．０２７５
ｒ            ｄ          ｎ                ν
１          １９．６９６    ７．９３    １．７７６２１    ４９．６
２        １２１．１３４    ２．３６    １．７９１７５    ２６．２
３          ３２．７１０    １．９２
４          １４．１７７    １．５２    １．７９１８９    ２５．７
５  ＊      １１．１６４    ４．２９
６            ∞（絞り）    ６．７７
７          −９．２０８    １．７７    １．７９１８９    ２５．７
８        −１２．４５８    ０．３７
９        −４８．２２４    １．４０    １．７９１７５    ２６．２
１０    −１３９．６５１    ６．２５    １．７７６２１    ４９．６
１１      −１８．８２６
ｋ＝０．００３２１７
Ａ＝−２．９６７７２×１０-8
Ｂ＝１．５０３３３×１０-8
Ｃ＝３．８９５５８×１０-10
Ｄ＝−３．２９０２６×１０-13
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００２６】
　（実施例５）
Ｆ／Ｎｏ  １：４、  ｆ＝５３．８６８、    ｍ＝−０．１６５、
ω＝２２．９°、  （（ｒ７ −ｒ８ ）−ｄ７ ）／ｆ＝０．０２７８
ｒ            ｄ          ｎ                ν
１          １９．８７５    ７．９１    １．７７６２１    ４９．６
２        １１２．７３０    ２．９１    １．７９１７５    ２６．２
３          ３１．９００    ２．１２
４          １３．９４９    １．５１    １．７９１８９    ２５．７
５  ＊      １０．９４０    ４．２６
６            ∞（絞り）    ６．７８
７          −８．９０９    １．４０    １．７９１８９    ２５．７
８        −１１．８０３    ０．１５
９        −４１．３０９    １．４０    １．７９１７５    ２６．２
１０      −９２．１０４    ６．０９    １．７７６２１    ４９．６
１１      −１７．４３６
ｋ＝０．０００５８４１
Ａ＝８．８１８１５×１０-7
Ｂ＝７．３４８９６×１０-8
Ｃ＝５．６２９８１×１０-10
Ｄ＝−５．７１５１２×１０-12
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００２７】
　（実施例６）
Ｆ／Ｎｏ  １：４、  ｆ＝５４．０４１、    ｍ＝−０．１６４、
ω＝２２．９°、  （（ｒ7 −ｒ8 ）−ｄ7 ）／ｆ＝０．０２９６
ｒ            ｄ          ｎ                ν
１          １９．５４４    ８．１６    １．７７６２１    ４９．６
２        １５５．３０２    ２．７１    １．７９１７５    ２６．２
３          ３１．８７６    ３．２４
４          １４．６６７    １．５９    １．７９１８９    ２５．７
５  ＊      １１．３８５    ４．０５
６            ∞（絞り）    ６．６５
７          −８．８４２    １．４５    １．７９１８９    ２５．７
８        −１１．８９２    ０．１５
９        −４１．０９２    １．５８    １．７９１７５    ２６．２
１０      −８５．５６０    ６．２３    １．７７６２１    ４９．６
１１      −１７．３３３
ｋ＝０．０３９５８
Ａ＝７．６２０６２×１０-6
Ｂ＝−６．１８０５５×１０-8
Ｃ＝４．８５５７０×１０-9
Ｄ＝−１．７１３７２×１０-11
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００２８】
　図６、図７、図８に、それぞれ上記実施例４、実施例５、実施例６の球面収差、非点収差、歪曲収差、横収差の特性を示す。尚、非点収差を示す図において、Ｔはメリディオナル光線、Ｓはサジタル光線を示している。
【００２９】
　〈第３の実施の形態〉
　図９は本発明の第３の実施の形態における縮小レンズの構成を示す配置図である。
【００３０】
　図９に示すように、物体側（図９では、左側）から像側（図９では、右側）に向かって第１〜第４の各レンズ群が順に配置されており、これにより縮小レンズ９０１が構成されている。ここで、第１のレンズ群は、物体側に凸面を向けた正のメニスカスレンズと物体側に凸面を向けた負のメニスカスレンズの接合レンズからなる。第２のレンズ群は、物体側に凸面を向けた負のメニスカスレンズからなる。第３のレンズ群は、物体側に凹面を向けた負のメニスカスレンズと物体側に凹面を向けた正のメニスカスレンズの接合レンズからなる。第４のレンズ群は、物体側に凹面を向けた負のメニスカスレンズと物体側に凹面を向けた正のメニスカスレンズの接合レンズからなる。尚、第３のレンズ群の負のメニスカスレンズの物体側の曲率半径をｒ7 、像側の曲率半径をｒ8 としたとき、下記（数８）の条件が満たされている。
［数８］
　　　　　　　　　　　０．３８＜ｒ7 ／ｒ8 ＜０．４５
　第３のレンズ群を構成する１要素である負のメニスカスレンズの形状に対して上記（数８）の条件を満足させることにより、広角化と大口径比化を維持したまま、より全系の収差性能を向上させることができる。すなわち、上記（数８）の下限を下回ると像面湾曲が正に偏奇し、上限を超えると像面湾曲が負に偏奇し、広角化が図れなくなる。
【００３１】
　尚、図９中、１０は原稿載置用のプラテンガラス、１１はＣＣＤ撮像素子等のセンサのカバーガラスであり、プラテンガラス１０とカバーガラス１１はともに平行平面ガラスからなっている。
【００３２】
　次に、上記の構成を備えた縮小レンズ９０１の具体的実施例を示す。但し、各実施例中、Ｆ／ＮｏはＦナンバー、ｆは全系の焦点距離、ｍは倍率、ωは半画角、ｒは曲率半径、ｄは面間隔、ｎはｅ線の屈折率、νはｄ線のアッベ数をそれぞれ表わしている。
【００３３】
　（実施例７）
Ｆ／Ｎｏ  １：４、    ｆ＝５３．７４２、    ｍ＝−０．１６５、
ω＝２２．９°、    ｒ7 ／ｒ8 ＝０．４３５
ｒ            ｄ          ｎ                ν
１          ２０．２２５    ６．４５    １．７５８５４    ５２．３
２        １０１．３３８    １．７１    １．７６８５８    ２６．６
３          ３７．０６８    １．９０
４          １３．５２２    １．４０    １．７６８５８    ２６．６
５          １０．９４５    ６．２８
６            ∞（絞り）    ７．５６
７        −１１．２５１    １．３４    １．６７７６６    ３２．１
８        −２５．８７８    ３．５５    １．７５８４３    ５２．３
９        −１６．４０６    ０．２１
１０      −９０．１３６    １．５１    １．６７７６６    ３２．１
１１    −３９９．１７３    ５．３６    １．７５８４３    ５２．３
１２      −２７．４８３
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００３４】
　（実施例８）
Ｆ／Ｎｏ  １：４、    ｆ＝５４．５４７、    ｍ＝−０．１６８、
ω＝２２．９°、    ｒ7 ／ｒ8 ＝０．４０２
ｒ            ｄ          ｎ                ν
１          ２０．６５２    ６．４５    １．７５８５４    ５２．３
２        １００．２２４    １．７１    １．７６８５８    ２６．６
３          ３８．１６３    ２．０５
４          １３．６９８    １．４０    １．７６８５８    ２６．６
５          １１．１０６    ６．３９
６           ∞（絞り）     ７．８２
７        −１１．２５４    １．３４    １．６７７６６    ３２．１
８        −２７．９８４    ３．５５    １．７５８４３    ５２．３
９        −１６．２７２    ０．２０
１０      −８１．６０９    １．５１    １．６７７６６    ３２．１
１１    −１９４．３８６    ５．３６    １．７５８４３    ５２．３
１２      −２７．２８３
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００３５】
　（実施例９）
Ｆ／Ｎｏ  １：４、    ｆ＝５４．６４５、    ｍ＝−０．１６８、
ω＝２２．９°、    ｒ7 ／ｒ8 ＝０．３８３
ｒ            ｄ          ｎ                ν
１          ２０．６０９    ６．４５    １．７５８５４    ５２．３
２          ９６．２６１    １．７１    １．７６８５８    ２６．６
３          ３８．２２６    １．９６
４          １３．８８５    １．４０    １．７６８５８    ２６．６
５          １１．１９７    ６．３５
６            ∞（絞り）    ７．７８
７        −１１．２６０    １．３４    １．６７７６６    ３２．１
８        −２９．３６９    ３．５５    １．７５８４３    ５２．３
９        −１６．３３８    ０．１５
１０      −８１．５６２    １．５１    １．６７７６６    ３２．１
１１    −１５９．１１９    ５．３６    １．７５８４３    ５２．３
１２      −２７．１９７
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００３６】
　図１０、図１１、図１２に、それぞれ上記実施例７、実施例８、実施例９の球面収差、非点収差、歪曲収差、横収差の特性を示す。尚、非点収差を示す図において、Ｔはメリディオナル光線、Ｓはサジタル光線を示している。
【００３７】
　〈第４の実施の形態〉
　図１３は本発明の第４の実施の形態における縮小レンズの構成を示す配置図である。
【００３８】
　図１３に示すように、物体側（図１３では、左側）から像側（図１３では、右側）に向かって第１〜第４の各レンズ群が順に配置されており、これにより縮小レンズ１３０１が構成されている。ここで、第１のレンズ群は、物体側に凸面を向けた正のメニスカスレンズと物体側に凸面を向けた負のメニスカスレンズの接合レンズからなる。第２のレンズ群は、物体側に凸面を向けた負のメニスカスレンズからなる。第３のレンズ群は、物体側に凹面を向けた負のメニスカスレンズと物体側に凹面を向けた正のメニスカスレンズの接合レンズからなる。第４のレンズ群は、物体側に凹面を向けた負のメニスカスレンズと物体側に凹面を向けた正のメニスカスレンズの接合レンズからなる。また、第２のレンズ群の像側の面は、回転対称非球面となっている。このように第２のレンズ群の像側の面を回転対称非球面としたことにより、コマ収差の補正を良好に行うことができる。尚、第２のレンズ群の像側の面の回転対称非球面は、下記（数９）によって表記される。
【００３９】
【数９】
2004046229.tif 000004
　上記（数９）において、Ｚは非球面の頂点から光軸方向への距離、ｒは近軸曲率半径、ｋは円錐定数、Ａ、Ｂ、Ｃ、Ｄは４次、６次、８次、１０次の非球面係数、Ｈは光軸に垂直な方向の距離をそれぞれ表わしている。
【００４０】
　さらに、本実施の形態においては、第３のレンズ群の負のメニスカスレンズの物体側の曲率半径をｒ7 、像側の曲率半径をｒ8 としたとき、下記（数１０）の条件が満たされている。
［数１０］
　　　　　　　　　　　０．４＜ｒ7 ／ｒ8 ＜０．５
　第３のレンズ群を構成する１要素である負のメニスカスレンズの形状に対して上記（数１０）の条件を満足させることにより、広角化と大口径比化を維持したまま、より全系の収差性能を向上させることができる。すなわち、上記（数１０）の下限を下回ると像面湾曲が正に偏奇し、上限を超えると像面湾曲が負に偏奇し、広角化が図れなくなる。
【００４１】
　尚、図１３中、１０は原稿載置用のプラテンガラス、１１はＣＣＤ撮像素子等のセンサのカバーガラスであり、プラテンガラス１０とカバーガラス１１はともに平行平面ガラスからなっている。
【００４２】
　次に、上記の構成を備えた縮小レンズ１３０１の具体的実施例を示す。但し、各実施例中、Ｆ／ＮｏはＦナンバー、ｆは全系の焦点距離、ｍは倍率、ωは半画角、ｒは曲率半径、ｄは面間隔、ｎはｅ線の屈折率、νはｄ線のアッベ数、＊は非球面、ｋは円錐定数、Ａは４次の非球面係数、Ｂは６次の非球面係数、Ｃは８次の非球面係数、Ｄは１０次の非球面係数をそれぞれ表わしている。
【００４３】
　（実施例１０）
Ｆ／Ｎｏ  １：４、    ｆ＝５４．７０９、    ｍ＝−０．１６７、
ω＝２２．９°、    ｒ7 ／ｒ8 ＝０．４３１
ｒ            ｄ          ｎ                ν
１          １８．８３５    ６．４５    １．７５８５４    ５２．３
２          ７４．１９４    １．７１    １．７６８５８    ２６．６
３          ３９．６０３    １．５７
４          １８．４６７    １．４０    １．７６８５８    ２６．６
５  ＊      １２．９５６    ８．８１
６            ∞（絞り）    ７．８０
７        −１０．３９２    １．３４    １．６７７６６    ３２．１
８        −２４．１３０    ３．５５    １．７５８４３    ５２．３
９        −１４．１１６    ０．２０
１０    −１１５．４０７    １．５１    １．６７７６６    ３２．１
１１    −２２７．８９２    ５．３６    １．７５８４３    ５２．３
１２      −３２．３４２
ｋ＝０．１３３８
Ａ＝４．４３２３３×１０-6
Ｂ＝１．４４３５３×１０-9
Ｃ＝１．２８１２７×１０-10
Ｄ＝１．１３７９４×１０-11
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００４４】
　（実施例１１）
Ｆ／Ｎｏ  １：４、    ｆ＝５４．８８１、    ｍ＝−０．１６７、
ω＝２２．９°、    ｒ7 ／ｒ8 ＝０．４５８
ｒ            ｄ          ｎ                ν
１          １８．９６８    ６．４５    １．７５８５４    ５２．３
２          ７６．７９０    １．７１    １．７６８５８    ２６．６
３          ４０．６０６    １．９２
４          １９．１４４    １．４０    １．７６８５８    ２６．６
５  ＊      １３．２４６    ８．８０
６            ∞（絞り）    ７．９７
７        −１０．２２６    １．３４    １．６７７６６    ３２．１
８        −２２．３１９    ３．５５    １．７５８４３    ５２．３
９        −１３．７８８    ０．１５
１０    −１２３．１２６    １．５１    １．６７７６６    ３２．１
１１    −３６２．１７１    ５．３６    １．７５８４３    ５２．３
１２      −３３．１７４
ｋ＝０．１５７５
Ａ＝４．７８０９８×１０-6
Ｂ＝１．００２８７×１０-9
Ｃ＝１．７４３３０×１０-10
Ｄ＝１．１１５７９×１０-11
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００４５】
　（実施例１２）
Ｆ／Ｎｏ  １：４、    ｆ＝５５．００５、    ｍ＝−０．１６８、
ω＝２２．９°、    ｒ7 ／ｒ8 ＝０．４４１
ｒ            ｄ          ｎ                ν
１          １９．０８０    ６．４５    １．７５８５４    ５２．３
２          ７７．６２７    １．７１    １．７６８５８    ２６．６
３          ４０．７６２    ２．０７
４          １９．２８９    １．４０    １．７６８５８    ２６．６
５  ＊      １３．３８４    ９．２５
６            ∞（絞り）    ７．５６
７        −１０．１５５    １．３４    １．６７７６６    ３２．１
８        −２３．００７    ３．５５    １．７５８４３    ５２．３
９        −１３．７０８    ０．１５
１０    −１２４．６１１    １．５１    １．６７７６６    ３２．１
１１    −２５２．６５９    ５．３６    １．７５８４３    ５２．３
１２      −３３．２６３
ｋ＝０．２６８２
Ａ＝−２．４１６２５×１０-7
Ｂ＝−６．２４５３４×１０-8
Ｃ＝５．０３２５１×１０-10
Ｄ＝３．２７７０３×１０-12
　プラテンガラス１０は、ｄ＝２．９、ｎ＝１．５１６３３、ν＝６４．１であり、カバーガラス１１は、ｄ＝０．８、ｎ＝１．５１６３３、ν＝６４．１である。
【００４６】
　図１４、図１５、図１６に、それぞれ上記実施例１０、実施例１１、実施例１２の球面収差、非点収差、歪曲収差、横収差の特性を示す。尚、非点収差を示す図において、Ｔはメリディオナル光線、Ｓはサジタル光線を示している。
【００４７】
　〈第５の実施の形態〉
　図１７は本発明の第１の実施の形態ないし第４の実施の形態に記載の縮小レンズを用いた画像入力装置の構成を示す配置図である。
【００４８】
　図１７に示すように、本実施の形態における画像入力装置は１７０４は、原稿載置用のプラテンガラス１０と、プラテンガラス１０を挟んで原稿１７０５と反対側に設けられ、原稿１７０５からの光束を縮小する縮小レンズ１７００と、原稿１７０５からの光束を縮小レンズ１７００側へ反射させるミラー１７０１と、縮小レンズ１７００からの光束が結像されるＣＣＤ撮像素子１７０２とを備えている。ここで、原稿載置用のプラテンガラス１０とその上に載置された原稿１７０５は、ともに矢印１７０３で示される方向に移動する。原稿１７０５からの光束は、光路の途中に設けられたミラー１７０１によって光路が曲げられ、縮小レンズ１７００を介してＣＣＤ撮像素子１７０２上に結像する。本発明の縮小レンズは画角が大きいため、原稿１７０５からＣＣＤ撮像素子１７０２までの光路長を小さくすることができ、その結果、画像入力装置の小型化を図ることができる。さらに、本発明の縮小レンズは高い結像性能を有し、しかも大口径比化されているため、高解像度でかつ高速読取が可能な画像入力装置を実現することができる。
【００４９】
　尚、原稿載置用のプラテンガラス１０の代わりに光学ウィンドウを設け、原稿のみを光学ウィンドウ上で移動させて画像を読み取る構成としてもよい。
【図面の簡単な説明】
【００５０】
【図１】本発明の第１の実施の形態における縮小レンズの構成を示す配置図である。
【図２】本発明の第１の実施の形態における縮小レンズの実施例１に関する収差図である。
【図３】本発明の第１の実施の形態における縮小レンズの実施例２に関する収差図である。
【図４】本発明の第１の実施の形態における縮小レンズの実施例３に関する収差図である。
【図５】本発明の第２の実施の形態における縮小レンズの構成を示す配置図である。
【図６】本発明の第２の実施の形態における縮小レンズの実施例４に関する収差図である。
【図７】本発明の第２の実施の形態における縮小レンズの実施例５に関する収差図である。
【図８】本発明の第２の実施の形態における縮小レンズの実施例６に関する収差図である。
【図９】本発明の第３の実施の形態における縮小レンズの構成を示す配置図である。
【図１０】本発明の第３の実施の形態における縮小レンズの実施例７に関する収差図である。
【図１１】本発明の第３の実施の形態における縮小レンズの実施例８に関する収差図である。
【図１２】本発明の第３の実施の形態における縮小レンズの実施例９に関する収差図である。
【図１３】本発明の第４の実施の形態における縮小レンズの構成を示す配置図である。
【図１４】本発明の第４の実施の形態における縮小レンズの実施例１０に関する収差図である。
【図１５】本発明の第４の実施の形態における縮小レンズの実施例１１に関する収差図である。
【図１６】本発明の第４の実施の形態における縮小レンズの実施例１２に関する収差図である。
【図１７】本発明の第５の実施の形態における縮小レンズを用いた画像入力装置の構成を示す配置図である。
【符号の説明】
【００５１】
　１、５０１、９０１、１３０１、１７００　縮小レンズ
１０　プラテンガラス
１１　カバーガラス
１７０１　ミラー
１７０２　ＣＣＤ撮像素子
１７０４　画像入力装置
【図１】
2004046229.tif 000005
【図２】
2004046229.tif 000006
【図３】
2004046229.tif 000007
【図４】
2004046229.tif 000008
【図５】
2004046229.tif 000009
【図６】
2004046229.tif 000010
【図７】
2004046229.tif 000011
【図８】
2004046229.tif 000012
【図９】
2004046229.tif 000013
【図１０】
2004046229.tif 000014
【図１１】
2004046229.tif 000015
【図１２】
2004046229.tif 000016
【図１３】
2004046229.tif 000017
【図１４】
2004046229.tif 000018
【図１５】
2004046229.tif 000019
【図１６】
2004046229.tif 000020
【図１７】
2004046229.tif 000021